(57)【要約】【課題】磁気記録媒体の誤読を抑える。【解決手段】２つのトラックにデータが独立してそれぞれ記録された磁気記録媒体ＭＳの読み取り方法では、取得部１ａにより２つのトラックから同方向に読み取られたデータが順次取得され、取得部１ａが一方のトラックのデータの取得後、他方のトラックのデータを取得した場合に、計測部１ｂにより、一方のトラックから他方のトラックへの切り替え時間が計測され、判別部１ｃにより、計測部１ｂが計測した切り替え時間のうち、一方向のトラックへの切り替え時間にて、比較対象の切り替え時間が、一方向のトラックへの切り替え時間から抽出した２つの切り替え時間の平均時間に対する所定範囲内に収まるか否かが判別され、所定範囲内に収まらない場合には、磁気記録媒体ＭＳに記録されたデータの消失が生じていると判別される。【選択図】図１
2010157274.tif 000002
【特許請求の範囲】
【請求項１】
２つのトラックにデータが独立してそれぞれ記録された磁気記録媒体の読み取り方法において、
取得部が、前記２つのトラックから同方向に読み取られた前記データを順次取得するステップと、
前記取得部が一方のトラックのデータの取得後、他方のトラックのデータを取得した場合に、計測部が、一方のトラックから他方のトラックへの切り替え時間を計測する計測ステップと、
判別部が、前記計測部が計測した前記切り替え時間のうち、一方向のトラックへの切り替え時間にて、比較対象の切り替え時間が、前記一方向のトラックへの切り替え時間から抽出した２つの切り替え時間の平均時間に対する所定範囲内に収まるか否かを判別し、前記所定範囲内に収まらない場合には、前記磁気記録媒体に記録された前記データの消失が生じていると判別するステップと、
を有することを特徴とする磁気記録媒体の読み取り方法。
【請求項２】
前記判別部が、前記比較対象の切り替え時間が前記所定範囲内に収まる場合には、前記磁気記録媒体に記録された前記データの消失は生じていないと判別することを特徴とする請求項１記載の磁気記録媒体の読み取り方法。
【請求項３】
前記２つの切り替え時間は、前記計測ステップで連続して測定された前記比較対象の切り替え時間の直前の２つの切り替え時間であることを特徴とする請求項１記載の磁気記録媒体の読み取り方法。
【請求項４】
前記一方向のトラックへの切り替え時間のうち、前記計測ステップで連続して測定された、最初の２つの切り替え時間の差分が基準値の所定範囲内に収まることを特徴とする請求項１記載の磁気記録媒体の読み取り方法。
【請求項５】
前記判別部が、前記差分が前記基準値の所定範囲内に収まらない場合には、前記磁気記録媒体に記録された前記データに消失が生じているとすることを特徴とする請求項４記載の磁気記録媒体の読み取り方法。
【請求項６】
２つのトラックにデータが独立してそれぞれ記録された磁気記録媒体が設けられた冊子媒体の処理装置において、
前記冊子媒体が搬送される搬送路と、
前記搬送路を搬送する前記冊子媒体の前記磁気記録媒体にて、前記２つのトラックから同方向に読み取られた前記データを順次取得する取得部と、
前記取得部が一方のトラックのデータの取得後、他方のトラックのデータを取得した場合に、一方のトラックから他方のトラックへの切り替え時間を計測する計測部と、
前記計測部が計測した前記切り替え時間のうち、一方向のトラックへの切り替え時間にて、比較対象の切り替え時間が、前記一方向のトラックへの切り替え時間から抽出した２つの切り替え時間の平均時間に対する所定範囲内に収まるか否かを判別し、前記所定範囲内に収まらない場合には、前記磁気記録媒体に記録された前記データの消失が生じていると判別する判別部と、
を有することを特徴とする磁気記録媒体が設けられた冊子媒体の処理装置。
【発明の詳細な説明】
【技術分野】
【０００１】
本発明は磁気記録媒体の読み取り方法及び、磁気記録媒体が設けられた冊子媒体の処理装置に関し、特に、２つのトラックにデータが独立してそれぞれ記録された磁気記録媒体の読み取り方法、及び、２つのトラックにデータが独立してそれぞれ記録された磁気記録媒体が設けられた冊子媒体の処理装置に関する。
【背景技術】
【０００２】
銀行、その他の金融機関、又はチケット発行機、航空券の自動改札システムの運輸機関等では、利用者の操作による紙幣及び乗車券等の紙葉類、又は硬貨の入出金等の取引を行う自動取引装置が設置されている。このような装置として、例えば、ＡＴＭ（Auto Teller Machine：現金自動預け払い機）がある。
【０００３】
上記自動取引装置で行われる取引の履歴等の情報が通帳等に設けられた磁気ストライプ等の磁気記録媒体に対して磁気的に書き込まれ、又、磁気記録媒体から書き込まれた情報が読み取られる。
【０００４】
磁気記録媒体の書き込み／読み取りの方法として、ＦＭ方式（例えば、特許文献１参照）、又はＮＲＺＩ方式（例えば、特許文献２参照）が用いられている。
ＦＭ方式では、磁気ヘッドにより、１つのトラックに磁束を反転させて“０”又は“１”を記録する。
【０００５】
一方、ＦＭ方式よりも速度変動（ジッタ）に対するマージンが強いＮＲＺＩ方式では、“０”及び“１”がそれぞれ対応された並列する２つのトラックが用意されている。“０”を記録する場合には“０”のトラックに、“１”を記録する場合には“１”のトラックに、磁気ヘッドにより、磁気データ（ビット）がそれぞれ記録される。また、“０”から“１”に、又は“１”から“０”にトラックが変更する場合には、磁気データの変更に応じてトラックの切り替えが行われる。
【０００６】
なお、ＮＲＺＩ方式では、磁気データを読み取る際に、磁気ヘッド及び磁気記録媒体の傾き、スキュー等の機械的な誤差等を考慮して、読み取り対象となる磁気データの有効範囲を設定している。以下に、磁気データの有効範囲を考慮したトラックの切り替えについて具体例をあげて説明する。
【０００７】
図８は、磁気記録媒体のトラック切り替えを説明するための図である。
磁気記録媒体１００には、“０”に対応したトラック“０”、“１”に対応したトラック“１”が設けられている。また、磁気データＡ１はトラック“１”に、磁気データａ１はトラック“０”にそれぞれ記録されている。
【０００８】
読み取り対象となる磁気データの有効範囲を、例えば、所定の基準値に対して±１８０％とする。即ち、磁気データＡ１の読み取り終了後、次に読み取られる磁気データは、磁気データＡ１に対して、−８０％〜２８０％の範囲に存在する磁気データａ１となる。
【特許文献１】特開２０００−１４９４３７号公報
【特許文献２】特開平８−１９７８０９号公報
【発明の開示】
【発明が解決しようとする課題】
【０００９】
上記のような磁気データは外部からの磁気等の影響により残留磁束の磁化が減衰して消失してしまう恐れがある。
ＮＲＺＩ方式では、例えば、図８において、トラック“１”の磁気データＡ１の取得後、本来読み取られるべきトラック“０”の磁気データａ２が消失している場合、磁気データａ２に隣接する、有効範囲内の磁気データａ１が処理されてしまう。
【００１０】
このように磁気記録媒体に記録された磁気データの消失が複数の箇所で生じていると、垂直パリティ及び水平パリティが一致してしまうことがあり、磁気記録媒体に記録された情報の誤読が発生する可能性が高くなる。誤読した情報に従えば、上位装置は所定の動作が行われなくなる。
【００１１】
本発明はこのような点に鑑みてなされたものであり、磁気記録媒体の誤読を抑えた磁気記録媒体の読み取り方法、及び当該読み取り方法が行われる磁気記録媒体が設けられた冊子媒体の処理装置を提供することを目的とする。
【課題を解決するための手段】
【００１２】
上記目的を達成するために、２つのトラックにデータが独立してそれぞれ記録された磁気記録媒体の読み取り方法が提供される。
この読み取り方法は、取得部が、前記２つのトラックから同方向に読み取られた前記データを順次取得するステップと、前記取得部が一方のトラックのデータの取得後、他方のトラックのデータを取得した場合に、計測部が、一方のトラックから他方のトラックへの切り替え時間を計測する計測ステップと、判別部が、前記計測部が計測した前記切り替え時間のうち、一方向のトラックへの切り替え時間にて、比較対象の切り替え時間が、前記一方向のトラックへの切り替え時間から抽出した２つの切り替え時間の平均時間に対する所定範囲内に収まるか否かを判別し、前記所定範囲内に収まらない場合には、前記磁気記録媒体に記録された前記データの消失が生じていると判別するステップと、を有する。
【００１３】
このような読み取り方法によれば、取得部によって、２つのトラックから同方向に読み取られたデータが順次取得され、取得部が一方のトラックのデータの取得後、他方のトラックのデータを取得した場合に、計測部によって、一方のトラックから他方のトラックへの切り替え時間が計測され、判別部によって、計測部が計測した切り替え時間のうち、一方向のトラックへの切り替え時間にて、比較対象の切り替え時間が、一方向のトラックへの切り替え時間から抽出した２つの切り替え時間の平均時間に対する所定範囲内に収まるか否かを判別し、所定範囲内に収まらない場合には、磁気記録媒体に記録されたデータの消失が生じていると判別される。
【００１４】
さらに、上記目的を達成するために、上記の読み取り方法が適用される、２つのトラックにデータが独立してそれぞれ記録された磁気記録媒体が設けられた冊子媒体の処理装置が提供される。
【発明の効果】
【００１５】
上記、２つのトラックにデータが独立してそれぞれ記録された磁気記録媒体の読み取り方法、及び、２つのトラックにデータが独立してそれぞれ記録された磁気記録媒体が設けられた冊子媒体の処理装置では、磁気記録媒体に記録されたデータの消失が生じていることが判別され、磁気記録媒体の誤読が抑えられる。
【発明を実施するための最良の形態】
【００１６】
以下、実施の形態について、図面を参照しながら説明する。
まず、第１の実施の形態について説明する。
図１は、第１の実施の形態における磁気記録媒体の読み取り方法を説明するための図である。
【００１７】
磁気記録媒体ＭＳは、トラックＭＳａ，ＭＳｂに磁気データが独立してそれぞれ記録されている。このような磁気記録媒体ＭＳの磁気データを読み取る読み取り装置１は、取得部１ａ、計測部１ｂ及び判別部１ｃを有する。
【００１８】
取得部１ａは、磁気記録媒体ＭＳのトラックＭＳａ，ＭＳｂから同方向に読み取った磁気データを順次取得する。なお、取得部１ａは、磁気記録媒体ＭＳの磁気データを取得するにあたって、トラックＭＳａからトラックＭＳｂに、または、トラックＭＳｂからトラックＭＳａに、読み取るトラックを切り替える場合がある。
【００１９】
計測部１ｂは、読み取った磁気データを取得するにあたって、トラックＭＳａからトラックＭＳｂに、または、トラックＭＳｂからトラックＭＳａにトラックを切り替えるために要した切り替え時間を計測する。なお、切り替え方向毎の切り替え時間は、例えば、図１では、トラックＭＳｂからトラックＭＳａへの切り替え時間は、Ｔｊ、Ｔｋ、Ｔｌ…である。また、トラックＭＳａからトラックＭＳｂへの切り替え時間は、ｔｊ、ｔｋ…である。
【００２０】
判別部１ｃは、計測した切り替え時間のうち、一方向のトラックへの切り替え時間にて、比較の対象とする切り替え時間と、他の切り替え時間とを比較することで、磁気記録媒体ＭＳに記録された磁気データの消失の発生を判別する。具体的には、判別部１ｃは、計測部１ｂで計測した一方向のトラックへの切り替え時間のうち、２つの切り替え時間を抽出し、当該２つの切り替え時間の平均時間を算出する。比較対象の切り替え時間が当該平均時間に対して所定の範囲内に収まっていなければ、磁気記録媒体ＭＳに記録された磁気データの消失が生じていると判別される。一方、所定の範囲内に収まっていれば、磁気記録媒体ＭＳに記録された磁気データの消失は生じていないと判別される。
【００２１】
以下、磁気記録媒体ＭＳの読み取り方法について説明する。
まず、取得部１ａが磁気記録媒体ＭＳの２つのトラックＭＳａ，ＭＳｂから同方向に読み取った磁気データを順次取得する。
【００２２】
次いで、計測部１ｂは、取得部１ａの磁気データの取得にて、一方のトラックの磁気データの取得後、他方のトラックの磁気データを取得した場合に、一方のトラックから他方のトラックへの切り替え時間をトラックの切り替え方向毎に計測する。なお、計測結果は、トラックＭＳｂからトラックＭＳａへの切り替え時間は、Ｔｊ、Ｔｋ、Ｔｌ…である。また、トラックＭＳａからトラックＭＳｂへの切り替え時間は、ｔｊ、ｔｋ…である。
【００２３】
次いで、判別部１ｃは、まず、トラックＭＳｂからトラックＭＳａへの切り替え時間が所定範囲以内に収まるか否かについて判別する。即ち、判別部１ｃは、計測したトラックＭＳｂからトラックＭＳａへの切り替え時間から２つの切り替え時間Ｔｊ，Ｔｌを抽出し、当該２つの切り替え時間の平均時間を算出する。判別部１ｃは比較対象の切り替え時間Ｔｋが当該平均時間に対して、例えば、±５０％以内の所定範囲に収まるか否かを判別する。判別の結果、所定範囲内に収まらない場合には、磁気記録媒体ＭＳに記録された磁気データの消失が生じていると判別する。所定範囲内に収まる場合には、判別部１ｃは、トラックＭＳｂからトラックＭＳａへの他の切り替え時間について同様の判別を行う。
【００２４】
トラックＭＳｂからトラックＭＳａへの全ての切り替え時間が所定範囲内に収まれば、次に、トラックＭＳａからトラックＭＳｂへの切り替え時間について判別する。この場合も、上記と同様に、比較対象とする切り替え時間が、２つの切り替え時間の平均時間に対して、±５０％以内の所定範囲に収まるか否かを判別する。判別の結果、所定範囲内に収まらない切り替え時間が１つでもあれば、磁気記録媒体ＭＳに記録された磁気データの消失が生じていると判別する。トラックＭＳａからトラックＭＳｂへの全ての切り替え時間が所定範囲内に収まれば、磁気記録媒体ＭＳに記録された磁気データの消失は生じていないと判別される。したがって、磁気記録媒体ＭＳに記録された磁気データを正常に読み取ることが可能であることがわかる。
【００２５】
このような読み取り方法では、磁気記録媒体ＭＳに記録した磁気データの消失の発生を判別することが可能となる。したがって、磁気データの消失が発生している磁気記録媒体ＭＳを特定でき、磁気記録媒体ＭＳの誤読を防止することができる。
【００２６】
次に、第２の実施の形態では、第１の実施の形態の読み取り装置をより具体的にして、当該読み取り装置を通帳処理装置に搭載した場合について説明する。
図２は、ＡＴＭの概略図である。
【００２７】
ＡＴＭ１０は、利用者が操作する操作画面を構成するタッチパネル１１と、紙幣を入出金する紙幣入出金部１２と、硬貨を入出金する硬貨入出金部１３と、キャッシュカード等を受け付けるカード読み取り部１４と、通帳（総合口座通帳、定期預金通帳）を読み取る通帳処理部２０とを有している。
【００２８】
ＡＴＭ１０は、利用者が通帳を通帳処理部２０に挿入し、キャッシュカードをカード読み取り部１４に挿入した後に、利用者がタッチパネル１１を操作して現金預け入れ、現金引き出し、振り込み、通帳記入等の取引処理を行うことにより、通帳にその取引履歴を印字することができる機能を備えている。なお、通帳記入をする際には、キャッシュカードは挿入しなくてもよい。
【００２９】
図３は、磁気記録媒体が設けられた通帳の概略図である。
なお、（Ａ）は通帳ＰＢの一体的に連なった裏表紙及び表表紙の平面図、（Ｂ）は、通帳ＰＢに設けられた磁気記録媒体ＭＳのデータ構成の模式図である。
【００３０】
通帳ＰＢには、磁気ストライプ等の磁気記録媒体ＭＳが設けられている。磁気記録媒体ＭＳの配置場所は、例えば、図３（Ａ）に示すように通帳ＰＢの左端部に設けられ、磁気ヘッド２１ａを上下方向に移動させ、磁気情報を読み取る。なお、磁気記録媒体ＭＳの配置場所は、通帳ＰＢに対し、縦方向及び横方向のどちらか一方もしくは、両方に設けられていても構わない。また、磁気記録媒体ＭＳが横方向に配置されている場合は、磁気ヘッド２１ａを左右方向に移動させ、磁気情報を読み取る。なお、２つのトラックＭＳａ，ＭＳｂは略平行に配置されている。ＡＴＭ１０に挿入された通帳ＰＢは、通帳処理部２０により、磁気記録媒体ＭＳに、ＡＴＭ１０で行われる取引の履歴等の情報が記録され、又、これらの情報が読み取られる。
【００３１】
磁気記録媒体ＭＳは、第１の実施の形態と同様に、２つのトラックＭＳａ，ＭＳｂに磁気データが独立してそれぞれ記録されている。なお、第２の実施の形態では、トラックＭＳａ，ＭＳｂはそれぞれ“０”及び“１”をそれぞれ表す。また、磁気記録媒体ＭＳのデータ構成は、図３（Ｂ）に示すように、先頭からイレーズ、ダミー、ＳＴＸ、データ、ＥＴＸ、ＢＣＣ、ダミー、イレーズの順に並んでいる。なお、ダミー間の距離ａは５５±１．７ｍｍ、通帳ＰＢの端部からダミーまでの距離ｂは７２±１．０ｍｍである。
【００３２】
次に、上記通帳ＰＢが挿入されて所定の処理が行われる通帳処理部２０について説明する。
図４は、第２の実施の形態における通帳処理部の機能を表す機能ブロック図である。
【００３３】
通帳処理部２０は、最後に印字されたページを開いた状態で通帳ＰＢが挿入口２０ａから挿入される搬送路２５ａと、搬送路２５ａの搬送面に外周面の一部を露出して複数配置され、通帳ＰＢを通帳処理部２０の内部又は挿入口２０ａに搬送する搬送ローラ２５ｂとを有する。なお、挿入口２０ａは、利用者によって開かれた通帳ＰＢが挿入されるだけでなく、処理が完了された通帳ＰＢが排出される。そして、通帳処理部２０は、搬送路２５ａの挿入口２０ａ近傍に、磁気ヘッド２１ａが配置されている。磁気ヘッド２１ａは、通帳ＰＢの磁気記録媒体ＭＳに情報を書き込み、又は情報の読み取りを行う。
【００３４】
このような通帳処理部２０は、さらに、磁気ヘッド処理部２１、イメージスキャナ２２、印字部２３、冊子媒体取扱部２４、搬送部２５及び制御部２６を備えている。なお、挿入口２０ａにはセンサ（図示を省略）が備えられており、挿入された通帳ＰＢは検知され、磁気ヘッド処理部２１、イメージスキャナ２２、印字部２３、冊子媒体取扱部２４、搬送部２５及び制御部２６の構成要素に通帳ＰＢが挿入されたことが通知される。
【００３５】
磁気ヘッド処理部２１は、通帳ＰＢに設けられた磁気記録媒体ＭＳ上を、磁気ヘッド２１ａを所定の方向に動作させて、磁気記録媒体ＭＳに予め付加されている磁気データ（例えば、取引履歴、顧客の口座番号等）を読み取り、通帳ＰＢに対して新たに磁気データを書き込んだりする。
【００３６】
イメージスキャナ２２は、通帳ＰＢ上の印字開始位置ならびに後に説明する冊子媒体取扱部２４によるページ捲りが適切に行われたかを確認する。
印字部２３は、印字ヘッド（図示を省略）を含み、利用者が行った、入金、出金、振り込み等の取引情報を通帳ＰＢに書き込む。
【００３７】
冊子媒体取扱部２４は、印字等が行われた通帳ＰＢに対して、ページの捲り、通帳ＰＢの閉じを行うことができる。
搬送部２５は、搬送路２５ａに複数配置された搬送ローラ２５ｂの動作を制御する。具体的には、搬送路２５ａに挿入された通帳ＰＢを、磁気ヘッド処理部２１、イメージスキャナ２２及び印字部２３のそれぞれの位置に適宜搬送し、通帳ＰＢに所定の処理が行われるように搬送ローラ２５ｂを駆動させる。また、通帳ＰＢを必要に応じて冊子媒体取扱部２４に搬送するように搬送ローラ２５ｂを駆動させる。そして、所定の処理が終了した通帳ＰＢを挿入口２０ａに搬送させるように搬送ローラ２５ｂを駆動させる。
【００３８】
制御部２６は、さらに、ＣＰＵ（Central Processing Units：中央処理装置）２６ａ及びメモリ２６ｂを有する。
ＣＰＵ２６ａは上記の磁気ヘッド処理部２１、イメージスキャナ２２、印字部２３、冊子媒体取扱部２４及び搬送部２５の動作を制御する。また、ＣＰＵ２６ａは、機能として、取得部２６ａ１、計測部２６ａ２及び判別部２６ａ３を有する。なお、メモリ２６ｂは、取得・算出したデータを格納する。
【００３９】
取得部２６ａ１は、磁気ヘッド２１ａを介して磁気記録媒体ＭＳから読み取った磁気データを順次取得する。なお、上記の通り、取得部２６ａ１は、磁気記録媒体ＭＳの磁気データを取得するにあたり、トラックを切り替える場合がある。また、取得した磁気データはメモリ２６ｂに格納される。
【００４０】
計測部２６ａ２は、一方のトラックの磁気データの取得後、他方のトラックの磁気データを取得するためにトラックの切り替えに要した切り替え時間をそれぞれの切り替え方向毎に計測する。計測した切り替え時間のデータはメモリ２６ｂに格納される。
【００４１】
判別部２６ａ３は、計測した切り替え時間のうち、一方向のトラックへの切り替え時間にて、比較対象とする切り替え時間と、他の切り替え時間とを比較することで、磁気記録媒体ＭＳに記録された磁気データが消失しているか否かを判別する。具体的には、判別部２６ａ３は、計測部２６ａ２で計測した切り替え時間のうち、一方向のトラックへの切り替え時間にて、２つの切り替え時間を抽出し、当該２つの切り替え時間の平均時間を算出する。比較対象の切り替え時間が当該平均時間に対して所定の範囲内に収まっていなければ、磁気記録媒体ＭＳに記録された磁気データの消失が生じていると判別される。一方、所定の範囲内に収まっていれば、磁気記録媒体ＭＳに記録された磁気データの消失は生じていないと判別される。
【００４２】
次に、このような通帳処理部２０内のＣＰＵの読み取り処理について説明する。
図５は、第２の実施の形態における読み取り処理を説明するためのフローチャートである。
【００４３】
［ステップＳ１］ＣＰＵ２６ａは、磁気ヘッド２１ａを動作させて、磁気記録媒体ＭＳの先頭から各トラックに記憶された磁気データを連続して順次読み取る。ＣＰＵ２６ａは、一方のトラックの磁気データの読み取り後、他方のトラックの磁気データを読み取る場合の、一方のトラックの磁気データから他方のトラックの磁気データの有効範囲を、所定の基準値に対して±１８０％とする。ＣＰＵ２６ａは、トラックが切り替わる磁気データ毎に当該範囲に収まるか否かを判別する。トラックが切り替わる磁気データが一つでも当該範囲に収まらない場合があれば、磁気記録媒体ＭＳの読み取りに異常があると判別する。トラックが切り替わる全ての磁気データが当該範囲に収まる場合には磁気記録媒体ＭＳの読み取りは正常であると判別する。
【００４４】
［ステップＳ２］次の処理は、ステップＳ１の判別結果が正常であれば（ｙｅｓ）、ステップＳ３に進められ、異常であれば（ｎｏ）、ステップＳ４に進められる。
［ステップＳ３］ＣＰＵ２６ａは、読み取った磁気データの取得にて、一方のトラックの磁気データの取得後、他方のトラックの磁気データを取得した場合に、一方のトラックから他方のトラックへの切り替え時間をトラックの切り替え方向毎に計測する。ＣＰＵ２６ａは、測定した切り替え時間が所定時間範囲に収まるか否かを判別する。なお、ステップＳ３の詳細な説明については後述する。
【００４５】
［ステップＳ４］次の処理は、ステップＳ１の方式編集処理を再び実行するような設定を予めしていれば（ｙｅｓ）、ステップＳ１に進められ、設定していなければ（ｎｏ）ステップＳ７に進められる。
【００４６】
［ステップＳ５］次の処理は、ステップＳ３の切り替え時間チェック処理の判別結果が正常であれば（ｙｅｓ）、ステップＳ６に進められ、異常であれば（ｎｏ）、ステップＳ７に進められる。
【００４７】
［ステップＳ６］ＣＰＵ２６ａは、磁気記録媒体ＭＳの読み取りが正常に行われるものと判別する。
［ステップＳ７］ＣＰＵ２６ａは、磁気記録媒体ＭＳの読み取りに異常があるものと判別する。
【００４８】
次に、ステップＳ３の切り替え時間チェック処理について詳細に説明する。
図６は、第２の実施の形態における切り替え時間チェック処理を説明するためのフローチャートである。なお、フローチャート中のＸｊとは、連続して計測した切り替え時間のうち、ｊ番目（ｊ＝１、２、…、ｎ）の切り替え時間Ｔ又はｔを表している。また、トラックＭＳｂからトラックＭＳａへの切り替え時間をＴｊで表し、トラックＭＳａからトラックＭＳｂへの切り替え時間をｔｊで表す。同様に、Ｙｊは、Ｘｊ−２及びＸｊ−１の平均時間を表し、Ｘｊが切り替え時間Ｔｊの場合、Ｙｊは平均時間Ｓｊ、Ｘｊが切り替え時間ｔｊの場合、Ｙｊは平均時間ｓｊをそれぞれ表す。
【００４９】
［ステップＳ３ａ］ＣＰＵ２６ａの取得部２６ａ１が、磁気ヘッド２１ａを介して磁気記録媒体ＭＳから連続して読み取った磁気データを順次取得する。
ＣＰＵ２６ａの計測部２６ａ２が、磁気データの取得において、トラックＭＳｂからトラックＭＳａへ、又はトラックＭＳａからトラックＭＳｂへのいずれかのトラックの切り替え方向を選択する。
【００５０】
さらに、ＣＰＵ２６ａの計測部２６ａ２は、選択した切り替え方向において、一方のトラックから他方のトラックへの切り替え時間を順次算出する。
［ステップＳ３ｂ］ＣＰＵ２６ａの計測部２６ａ２は、算出したＸ１及びＸ２の２つの切り替え時間の差（σ）（＝Ｘ１−Ｘ２）の絶対値を算出する。
【００５１】
［ステップＳ３ｃ］ＣＰＵ２６ａの判別部２６ａ３は、ステップＳ３ｂで算出した差（σ）の絶対値が、基準値に対して所定範囲以内であるか否かを判別する。例えば、差（σ）の絶対値が、基準値の４４５μｓの５０％以内であるか否かが判別される。次の処理は、判別の結果が所定範囲以内であれば、ステップＳ３ｄに進められ、所定範囲外であればステップＳ３ｋに進められる。
【００５２】
［ステップＳ３ｄ］ＣＰＵ２６ａの判別部２６ａ３は、切り替え時間Ｘ３（Ｘｊ；ｊ＝３）を特定する。
［ステップＳ３ｅ］ＣＰＵ２６ａの判別部２６ａ３は、算出した切り替え時間Ｘｊに対して、切り替え時間Ｘｊ−２，Ｘｊ−１の平均時間Ｙｊを算出する。例えば、ステップＳ３ｄの後においては、切り替え時間Ｘ１，Ｘ２の平均時間Ｙ３を算出する。
【００５３】
［ステップＳ３ｆ］ＣＰＵ２６ａの判別部２６ａ３は、切り替え時間Ｘｊが平均時間Ｙｊに対して±５０％以内であるか否かを判別する。次の処理は、当該範囲以内であれば、ステップＳ３ｇに進められ、当該範囲外であれば、ステップＳ３ｋに進められる。
【００５４】
［ステップＳ３ｇ］ＣＰＵ２６ａの判別部２６ａ３は、切り替え時間Ｘｊの残りがあるか否かを判別する。次の処理は、残りが有ればステップＳ３ｈに進められ、残りが無ければステップＳ３ｉに進められる。
【００５５】
［ステップＳ３ｈ］ＣＰＵ２６ａの判別部２６ａ３は、切り替え時間Ｘｊについてｊ＝ｊ＋１として、次の処理はステップＳ３ｅに再び進められる。
［ステップＳ３ｉ］ＣＰＵ２６ａの判別部２６ａ３は、切り替え時間の判別を行っていない切り替え方向が他にあればステップＳ３ａに再び進められ、全ての切り替え方向の切り替え時間の判別を終えたらステップＳ３ｊに進められる。
【００５６】
［ステップＳ３ｊ］ＣＰＵ２６ａの判別部２６ａ３は、磁気記録媒体ＭＳの読み取りが正常であると判別する。
［ステップＳ３ｋ］ＣＰＵ２６ａの判別部２６ａ３は、磁気記録媒体ＭＳの読み取りに異常が生じると判別する。
【００５７】
このような切り替え時間チェック処理を磁気記録媒体ＭＳに適用した具体例について以下に説明する。なお、以下では、図５のステップＳ１の処理が行われ正常であったと判別されているものとする。
【００５８】
図７は、２つのトラックにそれぞれ磁気データが記録された磁気記録媒体の概略図である。なお、（Ａ）は磁気データの消失が生じていない、（Ｂ）は磁気データの消失が生じた磁気記録媒体ＭＳをそれぞれ表している。また、図７では、ｔ１〜ｔ３まで、Ｔ１〜Ｔ３までをそれぞれ記載しているが実際はｔ４…、Ｔ４…とそれぞれ続いている。
【００５９】
まず、（Ａ）の磁気記録媒体ＭＳの場合について説明する。
ＣＰＵ２６ａの取得部２６ａ１が、磁気ヘッド２１ａを矢印Ｚ方向に移動させて磁気記録媒体ＭＳから連続して読み取った磁気データを順次取得する。ＣＰＵ２６ａの計測部２６ａ２が、取得した磁気データにおいて、トラック“０”からトラック“１”へのトラックの切り替え方向を選択する。さらに、ＣＰＵ２６ａの計測部２６ａ２は、選択した切り替え方向において、トラック“０”からトラック“１”への切り替え時間Ｔ１，Ｔ２，Ｔ３…を順次算出する（ステップＳ３ａに対応）。
【００６０】
ＣＰＵ２６ａの計測部２６ａ２は、切り替え時間Ｔ１，Ｔ２の差（σ）（＝Ｔ１−Ｔ２）の絶対値を算出する。差（σ）の絶対値は、基準値の４４５μｓの５０％以内であった（ステップＳ３ｂ，Ｓ３ｃに対応）。
【００６１】
ＣＰＵ２６ａの判別部２６ａ３は、切り替え時間Ｔ１，Ｔ２の平均時間Ｓ３を算出する。ＣＰＵ２６ａの判別部２６ａ３は、切り替え時間Ｔ３は平均時間Ｓ３に対して±５０％の範囲以内であった（ステップＳ３ｄ，Ｓ３ｅ，Ｓ３ｆに対応）。
【００６２】
また、切り替え時間Ｔ４も、切り替え時間Ｔ２，Ｔ３の平均時間Ｓ４に対して±５０％の範囲以内であった。同様に、切り替え時間Ｔ５，Ｔ６…も平均時間Ｙ５，Ｙ６…に対して±５０％の範囲以内であった（ステップＳ３ｅ〜Ｓ３ｈに対応）。
【００６３】
次いで、ＣＰＵ２６ａの計測部２６ａ２が、トラック“１”からトラック“０”へのトラックの切り替え方向を選択する（ステップＳ３ｉ，Ｓ３ａに対応）。
以下、トラック“０”からトラック“１”の場合と同様に、ＣＰＵ２６ａの計測部２６ａ２は、トラック“１”からトラック“０”への切り替え時間ｔ１，ｔ２…を順次算出する。
【００６４】
ＣＰＵ２６ａの計測部２６ａ２は、切り替え時間ｔ１，ｔ２の差（σ）（＝ｔ１−ｔ２）の絶対値を算出し、差（σ）の絶対値が、基準値の４４５μｓの５０％の範囲以内であった（ステップＳ３ｂ，Ｓ３ｃに対応）。
【００６５】
ＣＰＵ２６ａの判別部２６ａ３は、切り替え時間ｔ１，ｔ２の平均時間ｓ３を算出する。ＣＰＵ２６ａの判別部２６ａ３は、切り替え時間ｔ３は平均時間ｓ３に対して±５０％の範囲以内であった（ステップＳ３ｄ，Ｓ３ｅ，Ｓ３ｆに対応）。
【００６６】
また、切り替え時間ｔ４も、切り替え時間ｔ２，ｔ３の平均時間ｓ４に対して±５０％の範囲以内であった。同様に、切り替え時間ｔ５，ｔ６…も平均時間ｓ５，ｓ６…に対して±５０％の範囲以内であった（ステップＳ３ｅ〜Ｓ３ｈに対応）。
【００６７】
このように、全ての切り替え時間が直前の２つの切り替え時間の平均時間の所定範囲以内であったため、磁気記録媒体ＭＳに記録された磁気データの消失は発生しておらず、磁気記録媒体ＭＳは正常に読み取れられると判断される。
【００６８】
次に、（Ｂ）の磁気記録媒体ＭＳの場合について説明する。
上記（Ａ）の場合と同様に、ＣＰＵ２６ａの取得部２６ａ１が、磁気ヘッド２１ａを矢印Ｚ方向に移動させて磁気記録媒体ＭＳから連続して読み取った磁気データを順次取得する。ＣＰＵ２６ａの計測部２６ａ２が、取得した磁気データにおいて、トラック“０”からトラック“１”へのトラックの切り替え方向を選択する。さらに、ＣＰＵ２６ａの計測部２６ａ２は、選択した切り替え方向において、トラック“０”からトラック“１”への切り替え時間Ｔ１，Ｔ２，Ｔ３…を順次算出する（ステップＳ３ａに対応）。
【００６９】
ＣＰＵ２６ａの計測部２６ａ２は、切り替え時間Ｔ１，Ｔ２の差（σ）（＝Ｔ１−Ｔ２）の絶対値を算出し、差（σ）の絶対値が、基準値の４４５μｓの５０％以内であった（ステップＳ３ｂ，Ｓ３ｃに対応）。
【００７０】
ＣＰＵ２６ａの判別部２６ａ３は、切り替え時間Ｔ１，Ｔ２の平均時間Ｓ３を算出する。ＣＰＵ２６ａの判別部２６ａ３は、切り替え時間Ｔ３は平均時間Ｓ３に対して±５０％の範囲外であり、当該範囲に収まらなかった（ステップＳ３ｄ，Ｓ３ｅ，Ｓ３ｆに対応）。
【００７１】
したがって、この時点で磁気記録媒体ＭＳに記録された磁気データの消失が発生したと判別され、（Ｂ）の磁気記録媒体ＭＳの磁気データを読み取ると誤読が生じ、磁気記録媒体ＭＳの磁気データを正常に読み取れないと判断される。
【００７２】
このようにして、磁気記録媒体ＭＳが設けられた通帳ＰＢに対して、磁気データの消失の発生が判別される。この時、ＡＴＭ１０は、磁気記録媒体ＭＳの読み取りが正常に行われるものと判別されれば、通帳ＰＢに通常の処理を行う。一方、ＡＴＭ１０は、磁気記録媒体ＭＳの読み取りに異常があるものと判別されれば、通帳ＰＢに対する処理を中止する。さらに、例えば、タッチパネル１１に読み取りが異常である旨を表示し、搬送部２５によって、通帳ＰＢを挿入口２０ａに搬送するように搬送ローラ２５ｂを駆動させる。
【図面の簡単な説明】
【００７３】
【図１】第１の実施の形態における磁気記録媒体の読み取り方法を説明するための図である。
【図２】ＡＴＭの概略図である。
【図３】磁気記録媒体が設けられた通帳の概略図である。
【図４】第２の実施の形態における通帳処理部の機能を表す機能ブロック図である。
【図５】第２の実施の形態における読み取り処理を説明するためのフローチャートである。
【図６】第２の実施の形態における切り替え時間チェック処理を説明するためのフローチャートである。
【図７】２つのトラックにそれぞれ磁気データが記録された磁気記録媒体の概略図である。
【図８】磁気記録媒体のトラック切り替えを説明するための図である。
【符号の説明】
【００７４】
１  読み取り装置
１ａ，２６ａ１  取得部
１ｂ，２６ａ２  計測部
１ｃ，２６ａ３  判別部
１０  ＡＴＭ
１１  タッチパネル
１２  紙幣入出金部
１３  硬貨入出金部
１４  カード読み取り部
２０  通帳処理部
２０ａ  挿入口
２１  磁気ヘッド処理部
２１ａ  磁気ヘッド
２２  イメージスキャナ
２３  印字部
２４  冊子媒体取扱部
２５  搬送部
２５ａ  搬送路
２５ｂ  搬送ローラ
２６  制御部
２６ａ  ＣＰＵ
２６ｂ  メモリ
ＭＳ  磁気記録媒体
ＭＳａ，ＭＳｂ  トラック
ＰＢ  通帳
【図１】
2010157274.tif 000003
【図２】
2010157274.tif 000004
【図３】
2010157274.tif 000005
【図４】
2010157274.tif 000006
【図５】
2010157274.tif 000007
【図６】
2010157274.tif 000008
【図７】
2010157274.tif 000009
【図８】
2010157274.tif 000010